【手続補正書】
【提出日】平成25年8月19日(2013.8.19)
【手続補正１】
【補正対象書類名】特許請求の範囲
【補正対象項目名】全文
【補正方法】変更
【補正の内容】
【特許請求の範囲】
【請求項１】
パッシブ型の液晶表示装置を駆動する液晶駆動装置であって、  
前記液晶表示装置のコモン電極の走査期間内にダミー期間を挿入する走査制御部と、  
前記走査期間内に前記コモン電極を走査するコモン電極駆動部と、  
前記コモン電極駆動部によって走査されるコモン電極に対応した画像データに基づいて前記液晶表示装置のセグメント電極を駆動すると共に、前記ダミー期間では所与のダミーデータに基づいて前記セグメント電極を駆動するセグメント電極駆動部と、  
前記コモン電極駆動部によって駆動されるコモン電極及び前記セグメント電極駆動部によって駆動されるセグメント電極の間の電圧の極性を反転させる制御を所与の極性反転ライン数毎に行う極性反転制御部とを含むことを特徴とする液晶駆動装置。  
【請求項２】
請求項１において、  
前記走査制御部は、  
前記走査期間内の前記ダミー期間の挿入位置に対応した設定値が設定されるダミー挿入レジスターを含み、  
前記コモン電極駆動部は、  
前記ダミー挿入レジスターの設定値に対応した前記ダミー期間に前記コモン電極を非選択にし、  
前記セグメント電極駆動部は、  
前記ダミー挿入レジスターの設定値に対応した前記ダミー期間に、前記ダミーデータに基づいて前記セグメント電極を駆動することを特徴とする液晶駆動装置。  
【請求項３】
請求項１又は２において、  
前記画像データ及び前記ダミーデータがバッファリングされる画像データメモリーを含み、  
前記セグメント電極駆動部は、  
前記ダミー期間に、前記画像データメモリーから読み出された前記ダミーデータに基づいて前記セグメント電極を駆動することを特徴とする液晶駆動装置。  
【請求項４】
請求項１乃至３のいずれかにおいて、  
前記ダミーデータは、  
前記ダミー期間の挿入直前の走査期間に対応した画像データの反転データを含むことを特徴とする液晶駆動装置。  
【請求項５】
請求項１乃至４のいずれかにおいて、  
前記ダミーデータは、  
前記ダミー期間において１ラインが全オン又は全オフとなるデータであることを特徴とする液晶駆動装置。  
【請求項６】
請求項１において、  
前記走査制御部は、  
前記ダミー期間として、前記コモン電極の走査期間のいずれか一部を入れ替えて挿入し、  
前記コモン電極駆動部は、  
前記走査制御部によって挿入される走査期間に対応したコモン電極を走査し、  
前記セグメント電極駆動部は、  
前記走査制御部によって挿入される走査期間に対応した画像データに基づいて、前記セグメント電極を駆動することを特徴とする液晶駆動装置。  
【請求項７】
請求項６において、  
前記走査制御部は、  
前記走査期間内の前記ダミー期間の挿入位置に対応した設定値が設定される挿入元レジスターと、  
前記ダミー期間として挿入される前記コモン電極の走査期間のいずれか一部に対応した設定値が設定される挿入先レジスターとを含み、  
前記コモン電極駆動部は、  
前記挿入元レジスターの設定値に対応した前記ダミー期間に、前記挿入先レジスターの設定値に対応したコモン電極を走査し、  
前記セグメント電極駆動部は、  
前記挿入元レジスターの設定値に対応した前記ダミー期間に、前記挿入先レジスターの設定値に対応した画像データに基づいて前記セグメント電極を駆動することを特徴とする液晶駆動装置。  
【請求項８】
請求項１乃至７のいずれかにおいて、  
前記極性反転ライン数に対応した設定値が設定される極性反転ライン数設定レジスターを含み、  
前記コモン電極駆動部は、  
前記極性反転ライン数設定レジスターの設定値に対応した前記極性反転ライン数毎に極性を反転させた選択電圧を用いてコモン電極を走査し、  
前記セグメント電極駆動部は、  
前記極性反転ライン数設定レジスターの設定値に対応した前記極性反転ライン数毎に極性を反転させた駆動電圧を用いてセグメント電極を駆動することを特徴とする液晶駆動装置。  
【請求項９】
請求項１乃至８のいずれかにおいて、  
前記コモン電極駆動部は、  
同時選択される複数のコモン電極を１ブロックとするブロック単位に複数フィールドに亘って各フィールドに対応した選択パターンで前記液晶表示装置のコモン電極を走査し、  
前記セグメント電極駆動部は、  
前記同時選択される複数のコモン電極に対応した画像データ及び前記選択パターンに対応した駆動電圧で前記液晶表示装置のセグメント電極を駆動し、  
前記極性反転ライン数は、前記同時選択される複数のコモン電極数の倍数であることを特徴とする液晶駆動装置。  
【請求項１０】
複数のコモン電極と、  
前記複数のコモン電極と交差して設けられる複数のセグメント電極と、  
前記複数のコモン電極を走査すると共に、前記複数のセグメント電極を駆動する請求項１乃至９のいずれか記載の液晶駆動装置とを含むことを特徴とする液晶表示装置。  
【請求項１１】
請求項１０記載の液晶表示装置を含むことを特徴とする電子機器。  
【請求項１２】
パッシブ型の液晶表示装置を駆動する液晶駆動方法であって、  
前記液晶表示装置のコモン電極の走査期間内にダミー期間を挿入する走査制御ステップと、  
前記走査期間内に前記コモン電極を走査するコモン電極駆動ステップと、  
前記コモン電極駆動ステップにおいて走査されるコモン電極に対応した画像データに基づいて前記液晶表示装置のセグメント電極を駆動すると共に、前記ダミー期間では所与のダミーデータに基づいて前記セグメント電極を駆動するセグメント電極駆動ステップと、  
前記コモン電極駆動ステップにおいて駆動されるコモン電極及び前記セグメント電極駆動ステップにおいて駆動されるセグメント電極の間の電圧の極性を反転させる制御を所与の極性反転ライン数毎に行う極性反転制御ステップとを含むことを特徴とする液晶駆動方法。  
【請求項１３】
請求項１２において、  
前記走査制御ステップは、  
前記ダミー期間として、前記コモン電極の走査期間のいずれか一部を入れ替えて挿入し、  
前記コモン電極駆動ステップは、  
前記走査制御ステップにおいて挿入される走査期間に対応したコモン電極を走査し、  
前記セグメント電極駆動ステップは、  
前記走査制御ステップにおいて挿入される走査期間に対応した画像データに基づいて、前記セグメント電極を駆動することを特徴とする液晶駆動方法。
【手続補正２】
【補正対象書類名】明細書
【補正対象項目名】０００９
【補正方法】変更
【補正の内容】
【０００９】
（１）本発明の一態様は、パッシブ型の液晶表示装置を駆動する液晶駆動装置が、前記液晶表示装置のコモン電極の走査期間内にダミー期間を挿入する走査制御部と、前記走査期間内に前記コモン電極を走査するコモン電極駆動部と、前記コモン電極駆動部によって走査されるコモン電極に対応した画像データに基づいて前記液晶表示装置のセグメント電極を駆動すると共に、前記ダミー期間では所与のダミーデータに基づいて前記セグメント電極を駆動するセグメント電極駆動部と、前記コモン電極駆動部によって駆動されるコモン電極及び前記セグメント電極駆動部によって駆動されるセグメント電極の間の電圧の極性を反転させる制御を所与の極性反転ライン数毎に行う極性反転制御部とを含む。
【手続補正３】
【補正対象書類名】明細書
【補正対象項目名】００１５
【補正方法】変更
【補正の内容】
【００１５】
（４）本発明の第４の態様に係る液晶駆動装置は、第１の態様乃至第３の態様のいずれかにおいて、前記ダミーデータは、前記ダミー期間の挿入直前の走査期間に対応した画像データの反転データを含む。
【手続補正４】
【補正対象書類名】明細書
【補正対象項目名】００１９
【補正方法】変更
【補正の内容】
【００１９】
（６）本発明の第６の態様に係る液晶駆動装置は、第１の態様において、前記走査制御部は、前記ダミー期間として、前記コモン電極の走査期間のいずれか一部を入れ替えて挿入し、前記コモン電極駆動部は、前記走査制御部によって挿入される走査期間に対応したコモン電極を走査し、前記セグメント電極駆動部は、前記走査制御部によって挿入される走査期間に対応した画像データに基づいて、前記セグメント電極を駆動する。
【手続補正５】
【補正対象書類名】明細書
【補正対象項目名】００３１
【補正方法】変更
【補正の内容】
【００３１】
（１２）本発明の第１２の態様は、パッシブ型の液晶表示装置を駆動する液晶駆動方法が、前記液晶表示装置のコモン電極の走査期間内にダミー期間を挿入する走査制御ステップと、前記走査期間内に前記コモン電極を走査するコモン電極駆動ステップと、前記コモン電極駆動ステップにおいて走査されるコモン電極に対応した画像データに基づいて前記液晶表示装置のセグメント電極を駆動すると共に、前記ダミー期間では所与のダミーデータに基づいて前記セグメント電極を駆動するセグメント電極駆動ステップと、前記コモン電極駆動ステップにおいて駆動されるコモン電極及び前記セグメント電極駆動ステップにおいて駆動されるセグメント電極の間の電圧の極性を反転させる制御を所与の極性反転ライン数毎に行う極性反転制御ステップとを含む。  
【手続補正６】
【補正対象書類名】明細書
【補正対象項目名】００３２
【補正方法】変更
【補正の内容】
【００３２】
（１３）本発明の第１３の態様に係る液晶駆動方法では、前記走査制御ステップは、前記ダミー期間として、前記コモン電極の走査期間のいずれか一部を入れ替えて挿入し、前記コモン電極駆動ステップは、前記走査制御ステップにおいて挿入される走査期間に対応したコモン電極を走査し、前記セグメント電極駆動ステップは、前記走査制御ステップにおいて挿入される走査期間に対応した画像データに基づいて、前記セグメント電極を駆動する。